(57)【特許請求の範囲】
【請求項１】
地面に設置した電柱等の柱状物の支線に取付けられる管状の上部ガードと下部ガードとそれらを接続する継ぎ手とからなり、上記上部ガードの径を上記支線の径よりも大きく形成し、上記下部ガードの径を上記上部ガードの径よりも大きく形成し、上記継ぎ手の一端に上記上部ガードの一端部を挿入する小径挿入口を形成するとともに、その他端に上記下部ガードの一端部を挿入する大径挿入口を形成し、上記上部ガードと下部ガードと継ぎ手にそれぞれの全長にわたり連続したスリットを設けた支線ガードにおいて、上記継ぎ手の大径挿入口内に下部ガードの内面形状に相応した内壁を設け、上記下部ガードの上端部を上記大径挿入口に上記内壁に沿って挿入し、各スリットの位置を一致させた状態で固定具により連結一体化し、上記小径挿入口の内側に上記上部ガードの下端部の内面に沿う内壁を形成し、上記内壁と上記上部ガードの下端部のいずれか一方に係合突起を設けるとともに、他方に上記係合突起と係合する係合孔を設け、上部ガードの下端部を上記小径挿入口に挿入し、これを上記内壁に沿って押し込むことにより上記の係合突起と係合孔とを係合させるようにしたことを特徴とする支線ガード。
【請求項２】
上記上部ガードと下部ガードの外面に、反射テープを螺旋状に熱溶着させた請求項１に記載の支線ガード。
【発明の詳細な説明】
【０００１】
【発明の属する技術分野】
この発明は、地面に設置した電柱等の柱状物と地面の間に当該柱を支持するために張られた支線に取付けられる支線ガードに関する。
【０００２】
【従来の技術】
従来の支線ガードは、図５に示すように、管状の上部ガード３０と下部ガード３２とそれらを接続する継ぎ手３５とからなる。上部ガード３０の径は下部ガード３２の径よりも小さく形成され、継ぎ手３５の一端に上部ガード３０の下端部を挿入する小径挿入口３７が形成され、その他端に下部ガード３２の上端部を挿入する大径挿入口３８が形成されている。また、上部ガード３０と下部ガード３２と継ぎ手３５にそれぞれの全長にわたり連続したスリット３１、３３、３６が設けられている。
【０００３】
上記継ぎ手３５の小径挿入口３７の位置に、上部ガード３０の下端部の位置を合わせてインサート成形することにより連結体Ｂが形成される。この場合、上部ガード３０と継ぎ手３５のスリット３１、３６の位置を一致させておく。
【０００４】
以上の支線ガードを支線に取り付ける際には、下部ガード３２と連結体Ｂのスリット３１、３３、３６を拡げてそれぞれ支線に取付ける。
【０００５】
次に、連結体Ｂの継ぎ手３５の大径挿入口３８に下部ガード３２の上端部を挿入して孔３４、３９を一致させて、連結体Ｂと下部ガード３２を固定ピン４０により固定する。
【０００６】
【発明が解決しようとする課題】
しかしながら、上記の支線ガードは、継ぎ手と上部ガードをインサート成形により連結一体化させていたので、製造工程が複雑となり、しかも製造コストが高くなる問題があった。
【０００７】
また、支線ガードを支線に取り付ける際に、継ぎ手の大径挿入口に下部ガードを挿入して固定ピンで固定していたので、取付け作業に手間がかかる問題があった。
【０００８】
そこで、この発明が解決しようとする課題は、支線ガードの製造工程を簡略化し、かつ、支線ガードを支線に取り付ける際の作業の簡素化を図ることである。
【０００９】
【課題を解決するための手段】
この課題を解決するため、この発明は、地面に設置した電柱等の柱状物の支線に取付けられる管状の上部ガードと下部ガードとそれらを接続する継ぎ手とからなり、上記上部ガードの径を上記支線の径よりも大きく形成し、上記下部ガードの径を上記上部ガードの径よりも大きく形成し、上記継ぎ手の一端に上記上部ガードの一端部を挿入する小径挿入口を形成するとともに、その他端に上記下部ガードの一端部を挿入する大径挿入口を形成し、上記上部ガードと下部ガードと継ぎ手にそれぞれの全長にわたり連続したスリットを設けた支線ガードにおいて、上記継ぎ手の大径挿入口に上記下部ガードの上端部を挿入して各スリットの位置を一致させた状態で固定具により連結一体化し、上記小径挿入口の内側に上記上部ガードの下端部の内面に沿う内壁を形成し、上記内壁と上記上部ガードの下端部のいずれか一方に係合突起を設けるとともに、他方に上記係合突起と係合する係合孔を設けた構成を採用したのである。
【００１０】
また、上記上部ガードと下部ガードの外面に、反射テープを螺旋状に熱溶着させた構成を採ることができる。
【００１１】
【発明の実施の形態】
以下、この発明の実施形態の一例を図１乃至図４に基づいて説明する。
【００１２】
支線ガードは、図１及び図４に示すように、管状の上部ガード１と下部ガード４とそれらを接続する継ぎ手６とからなり、上部ガード１の径は支線２１の径よりも若干大きく設定され、下部ガード４の径は上部ガード１の径よりも大きく形成されている。なお、下部ガード４の径は、その下端部内にアンカー２３が収められる程度の大きさに設定しておく。
【００１３】
また、上部ガード１と下部ガード４の側面には、図１に示すように、それぞれの全長にわたりスリット２、５が設けられている。
【００１４】
上記継ぎ手６の一端には、上部ガード１の下端部を挿入する小径挿入口８が形成されるとともに、その他端には、下部ガード４の上端部を挿入する大径挿入口９が形成されている。継ぎ手６の側面には、図２及び図３に示すように、小径側面６ａ，大径側面６ｃの間にテーパー側面６ｂが形成され、小径挿入口８から大径挿入口９にわたりスリット７が形成されている。
【００１５】
また、継ぎ手６の小径挿入口８内には、図２及び図３に示すように、上部ガード１の内面形状に相応した内壁１２が設けられている。この内壁１２に沿って上部ガード１の下端部の内面が小径挿入口８内に挿入される。内壁１２の先端部１２ａを、図３に示すように、小径挿入口８の開口面よりも外側に若干突出させておく。継ぎ手６の小径挿入口８内に上部ガード１の下端部を挿入した際に、その上部ガード１の下端と当接する底面１６が形成されている。
【００１６】
上記内壁１２には、継ぎ手６の側面に設けられたスリット７と対向する部分にスリット１３が設けられている。内壁１２の直径部分の両側には、係合突起１４がそれぞれ設けられ、係合突起１４の両側から内壁１２の開口端にわたり切り目１５が平行に設けられている。図１に示すように、上部ガード１の一端部の両側に係合突起１４と係合する係合孔３がそれぞれ設けられている。
【００１７】
また、継ぎ手６の大径挿入口９内には、下部ガード４の内面形状に相応した内壁１７が設けられており、その内壁１７には、継ぎ手６の側面に設けられたスリット７と対向する部分にスリット１８が設けられている。継ぎ手６の大径挿入口９内に下部ガード４の上端部を挿入した際に、その下部ガード４の上端と当接する底面１９が形成されている。
【００１８】
上記継ぎ手６の大径側面６ｃの対称位置に一対の孔１１、１１が設けられている。図１に示すように、大径挿入口９に下部ガード４の上端部を挿入した際に、その上端を底面１９に当接させた状態で孔１１、１１と対向する下部ガード４の側面に、孔１１ａ，１１ａがそれぞれ設けられている。上記孔１１、１１ａの位置を合わせて固定ピン１０を圧入することにより、継ぎ手６と下部ガード４を連結一体化して連結体Ａが構成される。
【００１９】
この場合、大径挿入口９内の内壁１７に沿って下部ガード４を挿入できるので、大径挿入口９内で下部ガード４の上端部が縮径するのを防止でき、しかも固定ピン１０により簡単に固定することができる。
【００２０】
また、上部ガード１と下部ガード４の側面には、熱可塑性樹脂よりなる反射テープ２４が熱溶着により螺旋状に取付けられている。これにより、反射テープ２４を上部ガード１と下部ガード４の側面に容易に固着させることができ、しかも反射テープ２４により通行者の注意を喚起することができる。
【００２１】
以上の支線ガードを支線に取り付ける際には、先ず連結体Ａのスリット５、７を拡げて、連結体Ａ内に支線２１の下端部を収め、次に上部ガード１のスリット２を拡げて、上部ガード１内に連結体Ａの上方の支線２１を収める。
【００２２】
その後、継ぎ手６の小径挿入口８に上部ガード１の下端部を挿入して、内壁１２に沿って内側に強く押し込むと、上部ガード１の係合孔３、３と内壁１２の係合突起１４、１４が係合する。
【００２３】
この場合、内壁１２により小径挿入口８内で上部ガード１の下端部が縮径するのを防止でき、また内壁１２にスリット１３が設けられ、かつ、係合突起１４の両側に切り目１５が設けられているので、内壁１２の先端部分が弾性変形し易くなる。これにより、係合孔３、３と係合突起１４、１４との係合をスムーズに行うことができる。
【００２４】
【発明の効果】
以上のように、この発明によれば、下部ガードと継ぎ手を固定具により連結一体化したので、従来の如く上部ガードと継ぎ手をインサート成形により一体化する場合と比して製造工程を簡略化することができる。
【００２５】
また、継ぎ手の小径挿入口の内壁に係合突起を設け、その係合突起に上部ガードの係合孔を係合させるようにしたので、継ぎ手と上部ガードを簡単に固定することができる。これにより、取付け作業を簡素化することができる。
【図面の簡単な説明】
【図１】支線ガードの一例を示す分解斜視図
【図２】継ぎ手を示す一部切欠斜視図
【図３】同上の縦断面図
【図４】支線ガードを支線に取り付けた状態を示す説明図
【図５】従来の支線ガードを示す分解斜視図
【符号の説明】
Ａ  連結体
１  上部ガード
２  スリット
３  係合孔
４  下部ガード
５  スリット
６  継ぎ手
６ａ  小径側面
６ｂ  テーパー側面
６ｃ  大径側面
７  スリット
８  小径挿入口
９  大径挿入口
１０  固定ピン
１１  孔
１２  内壁
１３  スリット
１４  係合突起
１５  切り目
１６  底面
１７  内壁
１８  スリット
１９  底面
２０  電柱
２１  支線
２２  取付け具
２３  アンカー
２４  反射テープ
Ｂ  連結体
３０  上部ガード
３１  スリット
３２  下部ガード
３３  スリット
３４  孔
３５  継ぎ手
３６  スリット
３７  小径挿入口
３８  大径挿入口
３９  孔
４０  固定ピン
【図１】
0003658436.tif 000002
【図２】
0003658436.tif 000003
【図３】
0003658436.tif 000004
【図４】
0003658436.tif 000005
【図５】
0003658436.tif 000006